(57)【要約】【課題】容易に組み立てることができる電気掃除機を提供する。【解決手段】外郭をなし、開口部を有する本体１と、本体１内に配置され、吸引風を発生させる送風機２２と、本体１内に配置され、送風機２２を制御する制御部２５と、送風機２２と制御部２５とを保持した状態で本体１の開口部を塞ぐように、本体１に着脱自在に取り付けられた保持部材２８と、を備えた。この構成により、予備組立を行うことができる。このため、電気掃除機の組立が容易になる。【選択図】図４
2013031584.tif 000002
【特許請求の範囲】
【請求項１】
外郭をなし、開口部を有する本体と、
前記本体内に配置され、吸引風を発生させる送風機と、
前記本体内に配置され、前記送風機を制御する制御部と、
前記送風機と前記制御部とを保持した状態で前記本体の開口部を塞ぐように、前記本体に着脱自在に取り付けられた保持部材と、
を備えた電気掃除機。
【請求項２】
前記保持部材は、前記送風機と前記制御部とを同一面で保持した請求項１記載の電気掃除機。
【請求項３】
前記吸引風により吸引された含塵空気中の塵埃を捕集する集塵部、
を備え、
前記保持部材は、前記送風機と前記制御部とを保持した面と反対側の面が前記集塵部の搭載面となるように、上部が後方に傾いた請求項２記載の電気掃除機。
【請求項４】
前記送風機は、前記吸引風の吸引方向が斜め下方となるように、後部が前記本体内の後部の下側に配置され、
前記制御部は、前記本体の底面と前記送風機と前記保持部材との間に形成された空間に配置された請求項３記載の電気掃除機。
【請求項５】
前記送風機と前記制御部とを接続した配線
を備えた請求項１〜請求項４のいずれかに記載の電気掃除機。
【請求項６】
前記保持部材に設けられ、前記配線の一部を保持した結束部と、
を備えた請求項５記載の電気掃除機。
【請求項７】
前記保持部材は、前記送風機の前縁部の全面に接触するように突出した環状のリブを有した請求項１〜請求項６のいずれかに記載の電気掃除機。
【請求項８】
前記保持部材は、前記リブの前記制御部側に開口部を有し、
前記制御部は、前記リブの開口部を貫通して、前記送風機と前記保持部材との間に配置された放熱フィンを有した請求項７記載の電気掃除機。
【請求項９】
前記リブの開口部に設けられ、前記リブの開口部の内周面と前記放
熱フィンの外周面との間の隙間を塞いだパッキン、
を備えたことを特徴とする請求項８記載の電気掃除機。
【請求項１０】
前記保持部材は、当該保持部材を前記本体に着脱する際に前記本体の下部の所定位置に接触して、当該保持部材の回動の支点となる突き当て部を有した請求項１〜請求項９のいずれかに記載の電気掃除機。
【発明の詳細な説明】
【技術分野】
【０００１】
この発明は、電気掃除機に関するものである。
【背景技術】
【０００２】
電気掃除機において、掃除機本体に電動送風機と制御基板とが取り付けられる。この状態で、電動送風機と制御基板とに配線が接続される（例えば、特許文献１参照）。
【先行技術文献】
【特許文献】
【０００３】
【特許文献１】特開平９−２６２１９５号公報
【発明の概要】
【発明が解決しようとする課題】
【０００４】
しかしながら、特許文献１記載のものにおいては、電動送風機と制御基板との周りには、掃除機本体の側面等が存在する。このため、配線等の組立作業が困難である。
【０００５】
この発明は、上述のような課題を解決するためになされたもので、その目的は、容易に組み立てることができる電気掃除機を提供することである。
【課題を解決するための手段】
【０００６】
この発明に係る電気掃除機は、外郭をなし、開口部を有する本体と、前記本体内に配置され、吸引風を発生させる送風機と、前記本体内に配置され、前記送風機を制御する制御部と、前記送風機と前記制御部とを保持した状態で前記本体の開口部を塞ぐように、前記本体に着脱自在に取り付けられた保持部材と、を備えたものである。
【発明の効果】
【０００７】
この発明によれば、電気掃除機を容易に組み立てることができる。
【図面の簡単な説明】
【０００８】
【図１】この発明の実施の形態１における電気掃除機の側面図である。
【図２】この発明の実施の形態１における電気掃除機の本体を後方から見た正面図である。
【図３】この発明の実施の形態１における電気掃除機の本体の平面図である。
【図４】この発明の実施の形態１における電気掃除機の本体の縦断面図である。
【図５】この発明の実施の形態１における電気掃除機の予備組立品から格子を取り外した場合の正面図である。
【図６】図５のＡ−Ａ線における断面図である。
【図７】この発明の実施の形態１における電気掃除機の本体の予備組立品を後方から見た斜視図である。
【図８】この発明の実施の形態１における電気掃除機の本体の予備組立品を前方から見た斜視図である。
【図９】この発明の実施の形態１における電気掃除機から集塵部及びホース接続部を取り外した場合の縦断面図である。
【図１０】図９のＢ−Ｂ線における断面図である。
【図１１】図９のＣ−Ｃ線における断面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電気掃除機の側面図である。図２はこの発明の実施の形態１における電気掃除機の本体を後方から見た正面図である。図３はこの発明の実施の形態１における電気掃除機の本体の平面図である。
【００１１】
図１において、１は掃除機本体である。掃除機本体１は、下ケース１ａと上ケース１ｂとからなる。掃除機本体１は、電気掃除機の外郭をなす。掃除機本体１の前部下側には、一対の前輪２が設けられる。掃除機本体１の後部両側には、後輪３が設けられる。掃除機本体１の上部中央には、本体取手４が設けられる。掃除機本体１の後部下側には、コードリール巻き取りボタン５が設けられる。
【００１２】
掃除機本体１の上部前側には、蓋６が設けられる。掃除機本体１の後部上側には、集塵部着脱レバー７が設けられる。掃除機本体１の前面は、上方に行くに従って後方に傾斜する。掃除機本体１の前面の上側には、ホース接続部８が設けられる。ホース接続部８の上面は、前方に行くに従って下方に傾斜する。ホース接続部８の前面は、垂直面からなる。
【００１３】
ホース接続部８の前面には、ホース９の一端が接続される。ホース９は、可撓性を有するように蛇腹状に形成される。ホース９の他端には、手元ホース１０の一端が接続される。手元ホース１０には、ホース取手１１が設けられる。ホース取手１１には、操作スイッチ１２が設けられる。手元ホース１０の他端には、延長パイプ１３の一端が接続される。延長パイプ１３は、円筒状に真っ直ぐに形成される。延長パイプ１３の他端には、吸込具１４が接続される。
【００１４】
図２に示すように、掃除機本体１の後部上側の一側には、コード出口１５が形成される。掃除機本体１の後部上側の他側には、格子状の第１排気口１６が形成される。第１排気口１６の内側には、排気フィルタ（図示せず）が設けられる。コード出口１５の下側では、掃除機本体１に第２排気口１７が形成される。第２排気口１７は、二次元配列の微細孔からなる。
【００１５】
図３に示すように、ホース接続部８の上面の全面に渡って、表示部１８が設けられる。表示部１８は、ホース接続部８の上面と同様に、前方に行くに従って下方に傾斜する。
【００１６】
次に、図４を用いて、掃除機本体１の内部を説明する。
図４はこの発明の実施の形態１における電気掃除機の本体の縦断面図である。
【００１７】
図４に示すように、ホース接続部８内には、吸気経路１９が形成される。吸気経路１９は、ホース接続部８の前後を貫通する。表示部１８と吸気経路１９との間には、表示用基板２０が配置される。
【００１８】
掃除機本体１の後方には、予備組立品２１が着脱自在に組み込まれる。予備組立品２１は、電動送風機２２、カバー２３、保持体２４、制御基板２５、放熱フィン２６、ケース２７、保持部材２８等を備える。
【００１９】
電動送風機２２は、吸引口が上方かつ前方に向くように配置される。その結果、電動送風機２２の後部は、掃除機本体１内の後部の下側に配置される。カバー２３は、電動送風機２２を外側から覆う。保持体２４は、電動送風機２２とカバー２３とを固定する。制御基板２５は、電動送風機２２の前部の下方に配置される。
【００２０】
放熱フィン２６は、制御基板２５に取り付けられる。放熱フィン２６は、電動送風機２２の上流側に配置される。ケース２７は、制御基板２５を囲った状態で保持する。保持部材２８は、板状に形成される。保持部材２８は、上方に行くに従って後方に傾くように配置される。保持部材２８は、カバー２３とケース２７とを保持する。
【００２１】
蓋６の下方では、吸気経路１９と予備組立品２１との間に空間が形成される。当該空間は、上方に行くに従って後方に傾く。当該空間は、傾斜方向が長手方向となるように略直方体状に形成される。
【００２２】
当該空間には、集塵部２９が着脱自在に取り付けられる。集塵部２９は、掃除機本体１の空間に合わせて、直方体状に形成される。集塵部２９の前側の側面には、開口部２９ａが形成される。開口部２９ａは、前方かつ上方に向いた状態で、吸気経路１９と連結される。集塵部２９内には、集塵袋（図示せず）が収納される。集塵袋の前側は、開口部が形成される。集塵袋の開口部は、集塵部２９の開口部２９ａと重なるように配置される。
【００２３】
吸気経路１９の後側には、オゾンガス発生装置３０が設けられる。オゾンガス発生装置３０の下部には、排出口３０ａが設けられる。排出口３０ａは、集塵部２９の開口部２９ａの直上に配置される。
【００２４】
次に、図５〜図８を用いて、予備組立品２１を説明する。
図５はこの発明の実施の形態１における電気掃除機の予備組立品から格子を取り外した場合の正面図である。図６は図５のＡ−Ａ線における断面図である。図７はこの発明の実施の形態１における電気掃除機の本体の予備組立品を後方から見た斜視図である。図８はこの発明の実施の形態１における電気掃除機の本体の予備組立品を前方から見た斜視図である。
【００２５】
図５に示すように、放熱フィン２６は、電動送風機２２の吸引口２２ａからずれた位置に配置される。図６に示すように、保持部材２８の電動送風機２２側には、環状のリブ２８ｄが形成される。リブ２８ｄの制御基板２５側には、開口部が形成される。当該開口部には、パッキン３１が配置される。パッキン３１は、リブ２８ｄの開口部の内周面と放熱フィン２６の外周面の間の隙間を塞ぐ。
【００２６】
図７に示すように、ケース２７の一側面には、配線出口２７ａが形成される。配線出口２７ａを介して、配線３２ａの一端が制御基板２５に接続される。配線３２ａの他端は、電動送風機２２に接続される。配線出口２７ａを介して、配線３２ｂの一端が制御基板２５に接続される。配線出口２７ａの上方では、保持部材２８に鉤状の結束部２８ａが形成される。結束部２８ａは、保持部材２８の内側に開口する。結束部２８ａには、配線３２ａが引っ掛けるように保持される。
【００２７】
図８に示すように、保持部材２８の一側には、鉤状の結束部２８ｂが形成される。結束部２８ｂは、保持部材２８の内側に開口する。結束部２８ｂには、配線３２ｂが引っ掛けるように保持される。保持部材２８の下部中央には、突き当て部２８ｃが形成される。保持部材２８の上部には、格子３３が形成される。格子３３は、略正方形状の領域に形成される。格子３３は、利用者の指等が入らないように細かく形成される。格子３３の手前には、略正方形状のフィルタ（図示せず）が嵌め込まれる。当該フィルタの手前では、略正方形のシール部材３４が取り付けられる。シール部材３４は、集塵部２９との気密をとるようにゴム等で形成される。
【００２８】
このような予備組立品２１においては、まず、保持部材２８にシール部材３４が取り付けられる。その後、フィルタの上から保持部材２８が重ねられる。その後、電動送風機２２の前縁部の全面がリブ２８ｄと接触するように電動送風機２２が重ねられる。その結果、保持部材２８と電動送風機２２との間には、送風空間が形成される。その後、電動送風機２２を上方から覆うようにカバー２３が重ねられる。その後、カバー２３の上方から保持体２４が固定される。この状態で、カバー２３の前部が保持部材２８にねじ等で固定される。
【００２９】
制御基板２５の電子素子には、放熱フィン２６が取り付けられる。その後、制御基板２５に配線３２ａの一端と配線３２ｂの一端とが接続される。その後、制御基板２５を囲むようにケース２７が組み付けられる。その後、リブ２８ｄの開口部に放熱フィン２６を挿入するように、ケース２７が移動される。この状態で、ケース２７が保持部材２８にねじ等で固定される。その後、配線３２ａの他端が電動送風機２２に接続される。この接続により、予備組立品２１の組立が完了する。
【００３０】
予備組立品２１を掃除機本体１に組み付ける際、保持部材２８を垂直に立てた状態で突き当て部２８ｃが掃除機本体１の下部の所定箇所に突き当てられる。その後、突き当て部２８ｃを支点として、予備組立品２１が回動される。この回動により、予備組立品２１は、保持部材２８が上方に行くに従って傾斜する位置まで移動する。すなわち、電動送風機２２と制御基板とが掃除機本体１に配置された状態で、保持部材２８が掃除機本体１の開口部を塞ぐ。この状態で、保持部材２８が掃除機本体１に固定される。
【００３１】
次に、図９〜図１１を用いて、予備組立品２１を掃除機本体１に組み込んだ状態を説明する。
図９はこの発明の実施の形態１における電気掃除機から集塵部及びホース接続部を取り外した場合の縦断面図である。図１０は図９のＢ−Ｂ線における断面図である。図１１は図９のＣ−Ｃ線における断面図である。
【００３２】
図９に示すように、第１排気口１６の直下では、遮音体１ｃが配置される。遮音体１ｃは、掃除機本体１の後面から前方に突出する。カバー２３の下部の前側には、開口部２３ａが形成される。カバー２３の開口部２３ａの直前には、ケース２７が配置される。掃除機本体１の底面とカバー２３の下面との間には、第１空間３５ａが形成される。掃除機本体１の後面とカバー２３の後面との間には、第２空間３５ｂが形成される。
【００３３】
図１０に示すように、掃除機本体１の一側には、壁３６が形成される。掃除機本体１の一側面と壁３６との間には、コードリール室（図示せず）が形成される。コードリール室には、回転軸３７が設けられる。回転軸３７は、掃除機本体１の幅方向に延びる。回転軸３７には、円形のコードリール３８が軸支される。このとき、壁３６は、コードリール３８を固定するコード固定部として機能する。コードリール３８の外周面には、電源コード３９が巻き取り自在に巻き回される。図１１に示すように、壁３６の前部の下側には、流入口３６ａが形成される。
【００３４】
次に、電気掃除機の使用方法を説明する。
まず、利用者によって、電源コード３９が外部の商用交流電源（図示せず）に接続される。この接続により、掃除機本体１に電力が供給される。この状態で、利用者によって操作スイッチ１２が操作される。この操作により、電動送風機２２が駆動する。この際、表示部１８には、電気掃除機の運転状態や注意喚起等が表示される。表示は、前方かつ上方に向く。すなわち、当該表示は、ホース取手１１を持つ利用者側に向く。
【００３５】
電動送風機２２の駆動により、吸引風が発生する。当該吸引風により、被掃除面上の塵が空気とともに吸込具１４内へ吸い込まれる。当該含塵空気は、延長パイプ１３、手元ホース１０、ホース９を介して吸気経路１９に搬送される。
【００３６】
当該含塵空気は、吸気経路１９を経由して集塵部２９の開口部２９ａと集塵袋３５の開口部とを通過する。当該塵埃空気の塵埃は、集塵袋内に留まる。塵埃を取り除かれた空気は、集塵袋３５を通過して、電動送風機２２に吸引される。当該空気は、電動送風機２２から排出される。当該空気は、カバー２３の開口部２３ａを通過して、ケース２７の後面に当たる。
【００３７】
当該空気は、第１空間３５ａを後方に向かって進む。当該空気は、第２空間３５ｂを上方に向かって進む。当該空気は、遮音体１ｃに当たる。当該空気は、遮音体１ｃの下面に沿って前方に進む。当該空気は、遮音体１ｃの先端側を回り込むように後方に進む。当該空気は、第１排気口１６から排出される。
【００３８】
このとき、電動送風機２２から排出された空気は、流入口３６ａを介して、コードリール室にも侵入する。当該空気は、コードリール３８の下側と上側とに分流するように進む。当該空気によって、電源コード３９が冷却される。電源コード３９を冷却した空気は、第２排気口１７近傍で合流する。合流した空気は、第２排気口１７から排出される。
【００３９】
操作スイッチ１２の操作により電動送風機２２が停止すると、集塵袋内の塵埃は、集塵部２９の開口部２９ａよりも下方に堆積する。その後、所定時間が経過すると、オゾンガス発生装置３０が動作する。この動作により、オゾンガスが発生する。当該オゾンガスは、排出口３０ａから排出される。当該オゾンガスは空気より重い。このため、当該オゾンガスは下方へ移動する。当該オゾンガスは、集塵部２９の開口部２９ａと集塵袋３５の開口部を通過する。当該オゾンガスは、集塵袋３５内の塵埃に接触する。これにより、集塵部２９内の塵埃からの臭いが抑制される。
【００４０】
以上で説明した実施の形態１によれば、掃除機本体１の底面と後面を沿うように排気経路が形成される。このため、排気経路を長くした分、排気音を小さくすることができる。
【００４１】
また、電動送風機２２は、吸引方向が斜め下方となるように配置される。このため、電動送風機２２からの排気を容易に下側に向けることができる。
【００４２】
また、電動送風機２２からの排気は、遮音体１ｃによって迂回する。このため、排気音をより小さくすることができる。
【００４３】
また、電動送風機２２からの排気は、コードリール室も通過する。すなわち、コードリール室は、第１空間３５ａと第２空間３５ｂとは独立した冷却経路として機能する。このため、電源コード３９を冷却することができる。さらに、電動送風機２２からの排気は、第１排気口１６と第２排気口１７とに分散される。このため、排気時の風切音を小さくすることができる。
【００４４】
また、電動送風機２２と制御基板２５とは、保持部材２８に保持される。すなわち、電動送風機２２と制御基板２５とを掃除機本体１に直接組み付ける必要がない。このため、容易に電動送風機２２と制御基板２５とを組み立てることができる。この際、接続作業のために配線等を長くする必要もない。また、重要な部品である電動送風機２２と制御基板２５とをまとめて着脱できる。このため、不具合時のメンテナンスを容易に行うことができる。
【００４５】
また、電動送風機２２と制御基板２５とは、保持部材２８の同一面に保持される。このため、電動送風機２２と制御基板２５とを組み付ける際に、保持部材２８の向きを変更する必要がない。すなわち、より容易に予備組立品２１を組み立てることができる。
【００４６】
また、保持部材２８は、集塵部２９の搭載面を兼ねる。このため、部品を増やすことなく、より容易に予備組立品２１を組み立てることができる。
【００４７】
また、制御基板２５は、掃除機本体１の底面と電動送風機２２と保持部材２８との間に形成された空間に配置される。このため、掃除機本体１を小さくすることができる。
【００４８】
また、電動送風機２２と制御基板２５とは配線で接続される。このため、予備組立品２１の段階で電動送風機２２と制御基板２５との接続を完了することができる。すなわち、配線作業が簡単となる。
【００４９】
また、配線３２ａは結束部２８ａに保持される。このため、配線がばらけることを防止できる。その結果、予備組立品２１を掃除機本体１に取り付ける際に、配線が邪魔にならない。
【００５０】
また、電動送風機２２の前縁部の全面がリブ２８ｄに接触する。このため、電動送風機２２が発生させた吸引風を無駄にしない。
【００５１】
また、放熱フィン２６は、電動送風機２２と保持部材２８との間に配置される。このため、吸気側の空気を放熱フィン２６に当てることができる。すなわち、より確実に電子素子を冷却することができる。
【００５２】
また、リブ２８ｄの開口部の内周面と放熱フィン２６の外周面との間には、パッキン３１が設けられる。このため、電動送風機２２が発生させた吸引風が送風空間から漏れることを防止できる。
【００５３】
また、予備組立品２１は、保持部材２８の突き当て部２８ｃを支点として回動して掃除機本体１に組み込まれる。このため、ユニット化されて重くなった予備組立品２１であっても、持ち上げることなく、所定の移動により容易に組み立てられる。すなわち、予備組立品２１を掃除機本体１に組み込む際、予備組立品２１が掃除機本体１の意匠面に当たることがない。このため、電気掃除機の外観不良を抑制することができる。
【００５４】
また、オゾンガス発生装置３０は、集塵部２９の開口部２９ａの直上に設けられる。このため、オゾンを効率よく集塵部２９に流すことができる。
【００５５】
また、集塵部２９は、開口部２９ａよりも下側に塵埃を堆積させる。このため、オゾンガスが溜めやすい。
【００５６】
また、集塵部２９は、斜めに取り付けられる。このため、集塵部２９を大きくしつつ、掃除機本体１を小型にすることができる。この際、集塵部２９を垂直に立てた場合よりも集塵部２９の上面面積が拡大する。その結果、オゾンガスによる消臭効果が向上する。
【００５７】
また、表示部１８がホース接続部８の上面に設けられる。このため、掃除中の利用者は、容易に表示部１８を視認することができる。
【００５８】
また、表示部１８は、掃除機本体１の前方に行くに従って下方に傾く。このため、掃除中の利用者は、より容易に表示部１８を視認することができる。
【００５９】
また、掃除機本体１の前面は、上方に行くに従って後方に傾斜する。このため、ホース接続部８の上面の面積が拡大する。これに伴い、表示部１８の面積を拡大することができる。
【符号の説明】
【００６０】
１  掃除機本体、  １ａ  下ケース、  １ｂ  上ケース、  １ｃ  遮音体、
２  前輪、  ３  後輪、  ４  本体取手、  ５  コードリール巻き取りボタン、
６  蓋、  ７  集塵部着脱レバー、  ８  ホース接続部、  ９  ホース、
１０  手元ホース、１１  ホース取手、１２  操作スイッチ、１３  延長パイプ、
１４  吸込具、  １５  コード出口、  １６  第１排気口、  １７  第２排気口、
１８  表示部、  １９  吸気経路、  ２０  表示用基板、  ２１  予備組立品、
２２  電動送風機、  ２２ａ  吸引口、  ２３  カバー、  ２３ａ  開口部、
２４  保持体、  ２５  制御基板、  ２６  放熱フィン、  ２７  ケース、
２７ａ  配線出口、  ２８  保持部材、  ２８ａ  結束部、  ２８ｂ  結束部、
２８ｃ  突き当て部、  ２８ｄ  リブ、  ２９  集塵部、  ２９ａ  開口部、
３０  オゾンガス発生装置、  ３０ａ  排出口、  ３１  パッキン、  ３２ａ  配線、
３２ｂ  配線、  ３３  格子、  ３４  シール部材、  ３５ａ  第１空間、
３５ｂ  第２空間、  ３６  壁、  ３６ａ  流入口、  ３７  回転軸、
３８  コードリール、  ３９  電源コード
【図１】
2013031584.tif 000003
【図２】
2013031584.tif 000004
【図３】
2013031584.tif 000005
【図４】
2013031584.tif 000006
【図５】
2013031584.tif 000007
【図６】
2013031584.tif 000008
【図７】
2013031584.tif 000009
【図８】
2013031584.tif 000010
【図９】
2013031584.tif 000011
【図１０】
2013031584.tif 000012
【図１１】
2013031584.tif 000013